(57)【要約】      （修正有）【課題】光コネクタのロック解除を検知可能な光コネクタ対、導光部および固体照明装置を提供する。【解決手段】第１のフェルール６４と、第１の中空部６６ａが設けられ、移動可能である第１の絶縁体６６と、第１の電流経路と、を有する第１の光コネクタ６２と、第２のフェルール９２と、第２の中空部９４ａが設けられ、移動可能である第２の絶縁体９４と、第２の電流経路と、を有する第２の光コネクタ９０と、第１および第２のフェルールが介挿される貫通孔が設けられ、第１および第２の中空部にそれぞれ介挿される第３の絶縁体７８と、第３の電流経路と、を有する中継アダプタ７６と、を具備し、中継アダプタ７６と第１の光コネクタ６２との間、または中継アダプタ７６と第２の光コネクタ９０との間でロックを解除すると、第１の電流経路と第３の電流経路との間、または第２の電流経路と第３の電流経路との間が非導通に転じる。【選択図】図１
2015043048.tif 000002
【特許請求の範囲】
【請求項１】
第１の光ファイバと；
第２の光ファイバと；
前記第１の光ファイバの一方の端部が介挿された第１のフェルールと、第１の中空部が設けられ、前記第１のフェルールに沿って移動可能である第１の絶縁体と、第１の電流経路と、を有する第１の光コネクタと；
第２の光ファイバの一方の端部が介挿された第２のフェルールと、第２の中空部が設けられ、前記第２のフェルールに沿って移動可能である第２の絶縁体と、第２の電流経路と、を有する第２の光コネクタと；
前記第１および第２のフェルールが介挿される貫通孔が設けられ、前記第１および第２の中空部にそれぞれ介挿される第３の絶縁体と、第３の電流経路と、を有する中継アダプタと；
を具備し、
前記中継アダプタと前記第１の光コネクタとの間、または前記中継アダプタと前記第２の光コネクタとの間でロックを解除すると、前記第１の電流経路と前記第３の電流経路との間、または前記第２の電流経路と前記第３の電流経路との間が非導通に転じる導光部。
【請求項２】
前記中継アダプタに対して、前記第１の光コネクタまたは前記第２の光コネクタを移動することにより前記ロックを解除する請求項１記載の導光部。  
【請求項３】
前記第１の電流経路は、前記第１のフェルールに沿って前記第１の中空部の内壁に設けられた２つの離間した第１および第２の端子を含み、
前記第２の電流経路は、前記第２のフェルールに沿って前記第２の中空部の内壁に設けられた第３の端子を含み、
前記第３の電流経路は、前記第３の絶縁体の外縁に設けられ前記第１の端子と接続すれる第４の端子と、前記第２の端子と接続する第５の端子と、前記第３の端子と接続する第６および第７の端子と、前記第４の端子と前記第６の端子とを接続する第１の電気ケーブルと、前記第５の端子と、前記第７の端子とを接続する第２の電気ケーブルと、を含む請求項１または２に記載の導光部。
【請求項４】
前記第１の電流経路は、前記第１の光ファイバの方向に延在する請求項２または３に記載の導光部。
【請求項５】
請求項１〜４のいずれか１つに記載の導光部と；
前記第１の光ファイバにレーザー光を励起光として入射させる光源部と；
前記第２のファイバから放出された前記励起光が照射される光変換部と；
前記第１の電流経路と前記第３の電流経路との間、または前記第２の電流経路と前記第３の電流経路との間が非導通に転じたことを検出すると、前記励起光を遮断する制御部と；
を具備した固体照明装置。
【請求項６】
第１の光ファイバ群と；
第２の光ファイバ群と；
前記第１の光ファイバ群に取り付けられた第１の光コネクタと；
前記第２の光ファイバ群に取り付けられ、前記第１の光コネクタと接続された第２の光コネクタと；
を具備し、
前記第１の光コネクタまたは前記第２の光コネクタは、前記第１の光ファイバ群のうちの１つと、前記第２の光ファイバ群のうちの１つと、の間に設けられた遮光部を含む導光部。
【請求項７】
請求項６記載の導光部と；
前記第１の光ファイバ群にレーザー光を励起光として入射させる光源部と；
前記第２のファイバ群から放出された前記励起光が照射される波長変換層を含む光変換部と；
前記第１の光ファイバ群の前記１つから放出される光を検出する検出部と；
前記検出器からの信号に基づいて励起光を遮断する制御部と；
を具備し、
前記励起光の散乱光の一部と、前記波長変換層から放出された波長変換光の一部と、を含む戻り光は、前記第２の光ファイバ群の前記１つを伝搬し、
前記第１の光コネクタと前記第２の光コネクタとの間でロックを解除すると、前記遮光部が前記戻り光を遮断し、前記検出部の前記信号により前記制御部が前記励起光を遮断する、固体照明装置。
【請求項８】
光ファイバの一方の端部が介挿され、外縁に凸部および凹部のうちのいすれか一方が設けられ、第１の接点を有するプラグ型光コネクタと；
前記プラグ型光コネクタが挿入される貫通孔が設けられ、前記貫通孔の内壁には前記凸部および前記凹部のうちのいずれか他方が設けられ、第２の接点を有するレセプタクル型光コネクタと；
を具備し、
前記凹部には、前記プラグ型コネクタの介挿方向に平行な挿入溝部と、前記挿入溝部に直交するように連続するロック用溝部、が設けられ、  
前記凸部が前記凹部に沿うように挿入され、かつ第１の方向に回転されロック用溝部にロックされると、前記第１の接点と前記第２の接点とが導通し、
前記凸部が、前記第１の方向とは反対の方向に回転されると、前記第１の接点と前記第２の接点とが非導通に転じる、光コネクタ対。
【発明の詳細な説明】
【技術分野】
【０００１】
後述する実施形態は、概ね、光コネクタ対、導光部および固体照明装置に関する。
【背景技術】
【０００２】
白色固体照明(ＳＳＬ: Solid-State Lighting)装置は、ＬＥＤ(Light Emitting Diode)やＬＤ（Laser Diode）などの半導体発光素子や波長変換層を有している。
【０００３】
固体照明装置には、高輝度化・高出力化が強く要求される。このため、半導体発光素子の放出光や波長変換層による波長変換光は、ますます高出力であることが求められる。
【０００４】
このため、発光素子や波長変換層から放出される光が正常に放出されない場合、固体照明装置は、異常を検出可能な自己診断機能を有することが安全上望ましい。
【０００５】
また、光ファイバが接続された状態から非接続状態に切り替える場合、コネクタのロック解除動作時に光を確実に遮断することが安全上要求される。
【先行技術文献】
【特許文献】
【０００６】
【特許文献１】特開２００２−１７４７５０号公報
【発明の概要】
【発明が解決しようとする課題】
【０００７】
本発明が解決しようとする課題は、光コネクタのロック解除を検知することで、光コネクタのロック解除動作時に光を遮断可能な光コネクタ対、導光部および固体照明装置を提供する。  
【課題を解決するための手段】
【０００８】
実施形態の導光部は、第１の光ファイバと；第２の光ファイバと；前記第１の光ファイバの一方の端部が介挿された第１のフェルールと、第１の中空部が設けられ、前記第１のフェルールに沿って移動可能である第１の絶縁体と、第１の電流経路と、を有する第１の光コネクタと；第２の光ファイバの一方の端部が介挿された第２のフェルールと、第２の中空部が設けられ、前記第２のフェルールに沿って移動可能である第２の絶縁体と、第２の電流経路と、を有する第２の光コネクタと；前記第１および第２のフェルールが介挿される貫通孔が設けられ、前記第１および第２の中空部にそれぞれ介挿される第３の絶縁体と、第３の電流経路と、を有する中継アダプタと；を具備し、前記中継アダプタと前記第１の光コネクタとの間、または前記中継アダプタと前記第２の光コネクタとの間でロックを解除すると、前記第１の電流経路と前記第３の電流経路との間、または前記第２の電流経路と前記第３の電流経路との間が非導通に転じる。
【発明の効果】
【０００９】
本発明の実施形態によれば、光コネクタのロック解除を検知することで、光コネクタのロック解除動作時に光を遮断可能な可能な導光部および固体照明装置を提供することができる。
【図面の簡単な説明】
【００１０】
【図１】中継アダプタを介して光コネクタが接続された状態の第１の実施形態の導光部の模式断面図である。
【図２】図２（ａ）は第２の光コネクタのロック解除動作時の導光部の模式断面図、図２（ｂ）は第１の光コネクタのロック解除時の模式断面図、図２（ｃ）は光コネクタを中継アダプタから抜去した状態の模式断面図、である。
【図３】第１の実施形態の導光部を有する固体照明装置の構成図である。
【図４】図４（ａ）は第２の実施形態にかかる導光部の接続状態の模式図、図４（ｂ）はロック解除動作時の導光部の模式図、図４（ｃ）はロック解除ののち、切り離された光コネクタの模式図、である。
【図５】第２の実施形態の導光部を有する固体照明装置の構成図である。
【図６】図６（ａ）は第３の実施形態にかかる光コネクタ対の嵌合前の光コネクタ対の模式斜視図、図６（ｂ）は嵌合後の光コネクタ対の模式斜視図、図６（ｃ）はロック前のレセプタクル型光コネクタの模式斜視図、図６（ｄ）はロックの作用を説明する模式斜視図、である。
【図７】図７（ａ）は第３の実施形態のロック解除動作時のＡ−Ａ線に沿った模式断面図、図７（ｂ）はロック時のＡ−Ａ線に沿った模式断面図、である。
【発明を実施するための形態】
【００１１】
第１の発明は、第１の光ファイバと；第２の光ファイバと；前記第１の光ファイバの一方の端部が介挿された第１のフェルールと、第１の中空部が設けられ、前記第１のフェルールに沿って移動可能である第１の絶縁体と、第１の電流経路と、を有する第１の光コネクタと；第２の光ファイバの一方の端部が介挿された第２のフェルールと、第２の中空部が設けられ、前記第２のフェルールに沿って移動可能である第２の絶縁体と、第２の電流経路と、を有する第２の光コネクタと；前記第１および第２のフェルールが介挿される貫通孔が設けられ、前記第１および第２の中空部にそれぞれ介挿される第３の絶縁体と、第３の電流経路と、を有する中継アダプタと；を具備し、前記中継アダプタと前記第１の光コネクタとの間、または前記中継アダプタと前記第２の光コネクタとの間でロックを解除すると、前記第１の電流経路と前記第３の電流経路との間、または前記第２の電流経路と前記第３の電流経路との間が非導通に転じる導光部である。
この導光部によれば、光コネクタと中継アダプタとに電流経路をそれぞれ設ける。このため、ロック解除動作により、電流経路の間が非導通となることを検出することができる。このため、励起光のオン／オフを制御することが容易となる。
【００１２】
第２の発明は、第１の発明において、前記中継アダプタに対して、前記第１の光コネクタまたは前記第２の光コネクタを移動することにより前記ロックを解除する導光部である。
この導光部によれば、励起光のオン／オフを制御することがより容易となる。
【００１３】
第３の発明は、第１または第２の発明において、前記第１の電流経路は、前記第１のフェルールに沿って前記第１の中空部の内壁に設けられた２つの離間した第１および第２の端子を含み、前記第２の電流経路は、前記第２のフェルールに沿って前記第２の中空部の内壁に設けられた第３の端子を含み、前記第３の電流経路は、前記第３の絶縁体の外縁に設けられ前記第１の端子と接続すれる第４の端子と、前記第２の端子と接続する第５の端子と、前記第３の端子と接続する第６および第７の端子と、前記第４の端子と前記第６の端子とを接続する第１の電気ケーブルと、前記第５の端子と、前記第７の端子とを接続する第２の電気ケーブルと、を含む請求項１記載の導光部である。
この導光部によれば、第１の光コネクタ、中継アダプタ、第２の光コネクタ、中継アダプタ、第１の光コネクタまでのループ状の電流経路を設けることができる。    
【００１４】
第４の発明は、第２または３の発明において、第１および第２の端子は、前記第１の光ファイバの延在する方向に取り出し可能な２つの電気ケーブルにそれぞれ接続される導光部である。
この導光部によれば、第１および第２の端子の間の導通を検出することが容易となる。
【００１５】
第５の発明は、第１〜第４の発明にかかる導光部と；前記第１の光ファイバにレーザー光を励起光として入射させる光源部と；前記第２のファイバから放出された前記励起光が照射される光変換部と；前記中継アダプタに対して、前記第１の光コネクタまたは前記第２の光コネクタを移動し、前記第１の端子と前記第２の端子との間が非導通となったことを検出すると、前記励起光を遮断する制御部と；を具備した固体照明装置である。
この固体照明装置によれば、ロック解除動作を電気的に検知できる。このため、フェルールを抜去する前に、励起光を遮断することができる。この結果、照明装置の安全性を高めることができる。
【００１６】
第６の発明は、第１の光ファイバ群と；第２の光ファイバ群と；前記第１の光ファイバ群に取り付けられた第１の光コネクタと；前記第２の光ファイバ群に取り付けられ、前記第１の光コネクタと接続された第２の光コネクタと；を具備し、前記第１の光コネクタまたは前記第２の光コネクタは、前記第１の光ファイバ群のうちの１つと、前記第２の光ファイバ群のうちの１つと、の間に設けられた遮光部を含む導光部である。
この導光部によれば、ロック解除動作により、戻り光が遮断される。このため、光の伝送を制御することが容易となる。
【００１７】
第７の発明は、第６の発明の導光部と；前記第１の光ファイバ群にレーザー光を励起光として入射させる光源部と；前記第２のファイバ群から放出された前記励起光が照射される波長変換層を含む光変換部と；前記第１の光ファイバ群の前記１つから放出される光を検出する検出部と；前記検出器からの信号に基づいて励起光を遮断する制御部と；を具備し、前記励起光の散乱光の一部と、前記波長変換層から放出された波長変換光の一部と、を含む戻り光は、前記第２の光ファイバ群の前記１つを伝搬し、前記第１の光コネクタと前記第２の光コネクタとの間でロックを解除すると、前記遮光部が前記戻り光を遮断し、前記検出部の前記信号により前記制御部が前記励起光を遮断する、固体照明装置である。
この固体照明装置によれば、ロック解除動作を戻り光により検知できる。このため、光コネクタを切り離す前に、励起光を遮断することができる。この結果、照明装置の安全性を高めることができる。
【００１８】
第８の発明は、光ファイバの一方の端部が介挿され、外縁に凸部および凹部のうちのいすれか一方が設けられ、第１の接点を有するプラグ型光コネクタと；前記プラグ型光コネクタが挿入される貫通孔が設けられ、前記貫通孔の内壁には前記凸部および前記凹部のうちのいずれか他方が設けられ、第２の接点を有するレセプタクル型光コネクタと；を具備し、前記凹部には、前記プラグ型コネクタの介挿方向に平行な挿入溝部と、前記挿入溝部に直交するように連続するロック用溝部、が設けられ、前記凸部が前記凹部に沿うように挿入され、かつ第１の方向に回転されロック用溝部にロックされると、前記第１の接点と前記第２の接点とが導通し、前記凸部が、前記第１の方向とは反対の方向に回転されると、前記第１の接点と前記第２の接点とが非導通に転じる、光コネクタ対である。
この光コネクタペアによれば、ロック機構が簡素となる。このため、固体照明装置において、ロック解除動作を検知して、励起光を遮断し、安全性を高めることが容易となる。
【００１９】
以下、図面を参照しつつ、本発明の実施の形態を説明する。
図１は光コネクタが接続された状態の第１の実施形態の導光部の模式断面図である。
導光部６０は、第１の光ファイバ１２と、第２の光ファイバ２２と、第１の光コネクタ６２と、第２の光コネクタ９０と、中継アダプタ７６と、を有する。
【００２０】
第１の光コネクタ６２は、中心部に第１の光ファイバ１２が介挿された第１のフェルール６４と、第１の中空部６６ａが設けられ、第１のフェルール６４に沿って移動可能である第１の絶縁体６６と、第１の電流経路を有する。第１の電流経路は、たとえば、第１のフェルール６４に沿って第１の中空部６６ａの内壁６６ｂに設けられた２つの離間した第１の端子６７と第２の端子６８と、を含む。電気ケーブル６９は、第１の端子６７から第１の光ファイバ１２に沿って、引き出される。また、電気ケーブル７０は、第２の端子６８から第１の光ファイバ１２に沿って、引き出される。
【００２１】
第２の光コネクタ９０は、中心部に第２の光ファイバ２２が介挿される第２のフェルール９２と、第２の中空部９４ａが設けられ、第２のフェルール９２に沿って移動可能である第２の絶縁体９４と、第２の電流経路と、を有する。第２の電流経路は、たとえば、第２のフェルール９２に沿って第２の中空部９４ａの内壁９４ｂに設けられた第３の端子９５と、を含む。なお、フェルールは、ジルコニアなどのセラミックなどとすることができる。
【００２２】
中継アダプタ７６は、第１および第２のフェルール６４、９２が介挿される貫通孔７８ａが設けられ、第１および第２の中空部６６ａ、９４ａにそれぞれ介挿された第３の絶縁体７８と、第３の電流経路と、を有する。
【００２３】
第３の電流経路は、たとえば、第３の絶縁体７８の外縁７８ｃに設けられ第１の端子６７と接続する第４の端子８１と、第２の端子６８と接続する第５の端子８２と、第３の端子９５と接続する第６の端子８３および第７の端子８４と、第４の端子８１と第７の端子８４とを接続する第１の電気ケーブル８５と、第５の端子８２と第６の端子８３とを接続する第２の電気ケーブル８６と、を有する。
【００２４】
第１〜第３の絶縁体６６、９４、７８は、樹脂成型体などとすることができる。
【００２５】
第１のフェルール６４と第２のフェルール９２とが当接することにより第１の光ファイバ１２と第２の光ファイバと２２の間で光が伝送される。この接続状態では、第１〜第３の電流経路は、すべて導通している。すなわち、第１の端子６７と、第２の端子６８と、は、中継アダプタ７６と第２の光コネクタ９０を介して導通している。なお、第１の光ファイバ１２および第２の光ファイバ２２は、石英からなるコアやクラッドを含むマルチモードファイバなどとすることができる。
【００２６】
図１は、第１のコネクタ６２と中継アダプタ７６とがロックされ、かつ第２のコネクタ９０と中継アダプタ７６とがロックされ、第１のフェルール６４の端面と、第２のフェルール９２の端面と、が当接または近接した状態を表す。
【００２７】
図２（ａ）は第２の光コネクタのロック解除動作時の導光部の模式断面図、図２（ｂ）は第１の光コネクタのロック解除動作時の模式断面図、図２（ｃ）は光コネクタを中継アダプタから抜去した状態の模式断面図、である。
【００２８】
図２（ａ）は、第２の光コネクタ９０を中継アダプタ７６から抜去するためロック解除動作を表す。たとえば、ロックを解除し、第１のフェルール６４と第２のフェルール９２とが近接または当接したまま、第２の光コネクタ９０の第２の絶縁体９４を第２フェルール９２に沿って外側（矢印Ｍ１）に移動する。この状態で、第２の電流経路と第３の電流経路とは、非導通に転じる。すなわち、第６の端子８３と第７の端子６７とは、第３の端子９５から離間する。このため、第１の端子６７と、第２の端子６８と、の間は、非導通となる。
【００２９】
図２（ｂ）は、図２（ａ）とは逆に、第１の光コネクタ６２を中継アダプタ７６から抜去するためロック解除動作を表す。たとえば、ロックを解除し、第１のフェルール６４と第２のフェルール９２とが近接または当接したまま、第１の光コネクタ６２の第１の絶縁体６６を第１フェルール６４に沿って外側（矢印Ｍ２）に移動する。この状態で、第１の電流経路と、第３の電流経路とは、非導通となる、すなわち、第１の端子６７は第４の端子８１と離間し、第２の端子６８は、第５の端子８２と離間する。このため、第１の端子６７と、第２の端子６８と、の間は、非導通となる。
【００３０】
図２（ｃ）に表すように、第１の光コネクタ６２の第１のフェルール６４を中継アダプタ７６から抜去し（矢印Ｍ３）、かつ第２の光コネクタ９０の第２のフェルール９４を中継アダプタ７６から抜去する（矢印Ｍ４）。
【００３１】
図３は、第１の実施形態の導光部を有する固体照明装置の構成図である。
固体照明装置は、第１の実施形態の導光部６０と、光源部１０と、透明基板３１と透明基板３１の上面に設けられた波長変換層３２とを有する光変換部３０と、制御部５０と、を有する。光源部１０は、第１の光ファイバ１２にレーザー光を励起光Ｌ１として入射させる。
【００３２】
接続状態の導光部６０を通過した励起光Ｌ１は、波長変換層３２を照射する。波長変換層３２は、励起光Ｌ１の一部を吸収し波長変換光Ｌ３を放出する。他方、波長変換層３２に吸収されなかった励起光Ｌ１の他の一部は、散乱光Ｌ２に転じる。波長変換光Ｌ３と、散乱光Ｌ２と、が混合されて照明光ＧＴとなり、光変換部３０から放出される。
【００３３】
制御部５０は、中継アダプタ７６に対して、第１の光コネクタ６２または第２の光コネクタ９０が移動しロック解除状態となり、第１の端子６７と第２の端子６８との間が非導通となったことを表すロック解除信号Ｓ１を検知する。制御部５０は、ロック解除信号Ｓ１に基づいて、励起光遮断信号Ｓ２を光源部１０に向けて出力する。
【００３４】
図２（ａ）または図２（ｂ）に表すロック解除状態で、光源部１０は、励起光Ｌ１を遮断する。図２（ｃ）に表すように、励起光Ｌ１が遮断されたのち、第１のフェルール６４と、第２のフェルール９２と、が離間し始める。このため、レーザー光などの励起光Ｌ１が空間に放出されることが抑制され、固体照明装置の安全性を高めることができる。なお、この導光部６０は、表示装置などにも用いることができ、表示装置の安全性を高めることができる。
【００３５】
図４（ａ）は第２の実施形態にかかる導光部の接続状態の模式図、図４（ｂ）はロック解除動作時の導光部の模式図、図４（ｃ）はロック解除ののち、切り離された光コネクタの模式図、である。
導光部６０は、第１の光ファイバ群１２と、第２の光ファイバ群と２２と、第１の光ファイバ群１２に取り付けられた第１の光コネクタ９７と、第２の光ファイバ群２２に取り付けられ、第１の光コネクタ９７と接続された第２の光コネクタ９８と、を有する。なお、第１および第２の光コネクタ９７、９８は、光ファイバの先端部を収納するフェルールを有していてもよい。
【００３６】
第１の光ファイバ群１２は、励起光Ｌ１を伝送する光ファイバ１２ａ〜１２ｃと、戻り光ＲＬを伝送する光ファイバ１２ｄと、を有することができる。照明光強度を高めるには、励起光Ｌ１を伝送する光ファイバの数を増やせばよい。
【００３７】
第２の光ファイバ群２２は、励起光Ｌ１を伝送する光ファイバ２２ａ〜２２ｃと、戻り光ＲＬを伝送する光ファイバ２２ｄと、を有することができる。
【００３８】
第２の光コネクタ９８は、第１の光ファイバ群１２のうちの１つ１２ｄと、第２の光ファイバ群２２のうちの１つ２２ｄと、の間に設けられた遮光部９８ａを含むものとする。なお、遮光部は、第１の光コネクタ９７に設けられてもよい。
【００３９】
図４（ａ）は、第１のコネクタ９７と第２のコネクタ９８とが接続されロックされた状態である。励起光Ｌ１は第１の光ファイバ１２ａ〜１２ｃから第２の光ファイバ２２ａ〜２２ｃへそれぞれ伝送される。また、光変換部で生じ、励起光Ｌ１、散乱光、波長変換光を含む戻り光ＲＬは、遮光部９８ａにより遮光されないので、第２の光ファイバ（戻り光用）２２ｄから第１の光ファイバ（戻り光用）１２ｄへ伝送される。
【００４０】
図４（ｂ）は、第１の光コネクタ９７と第２の光コネクタ９８とを固定していたロックを解除する動作状態である。ロック解除動作は、たとえば、ボタンを押す、ネジを緩める、などの動作でよい。ロック解除動作により、遮光部９８ａが第１の光ファイバ１２ｄと第２の光ファイバ２２ｄとの間に介挿される。このため、第１の光ファイバ１２ｄは戻り光ＲＬを伝送しない。  図４（ｃ）は、ロック解除ののち、第１の光コネクタ９７と、第２の光コネクタ９８と、が切り離された状態である。
【００４１】
図５は、第２の実施形態の導光部を有する固体照明装置の構成図である。
固体照明装置は、第２の実施形態の導光部６０と、光源部１０と、透明基板３１と透明基板３１の上面に設けられた波長変換層３２とを有する光変換部３０と、戻り光ＲＬの遮断を検知する検出部５１と、制御部５０と、を有する。光源部１０は、第１の光ファイバ１２ａ〜１２ｃにレーザー光を励起光Ｌ１として入射させる。
【００４２】
接続状態の導光部６０を介して第２の光ファイバ２２ａ〜２２ｃを通過した励起光Ｌ１は、波長変換層３２を照射する。波長変換層３２は、励起光Ｌ１の一部を吸収し波長変換光Ｌ３を放出する。他方、波長変換層３２に吸収されなかった励起光Ｌ１の他の一部は、散乱光Ｌ２に転じる。波長変換光Ｌ３と、散乱光Ｌ２と、が混合されて照明光ＧＴとなり、光変換部３０から放出される。
【００４３】
図４（ｂ）に表すように、検出部５１は、光変換部３０で生じた励起光Ｌ１の散乱光と波長変換光とを含む戻り光ＲＬが遮断されたことを検出し、ロック解除信号Ｓ１を制御部５０に向けて出力する。制御部５０は、ロック解除信号Ｓ１に基づいて、励起光遮断信号Ｓ２を光源部１０に向けて出力し、励起光Ｌ１を遮断する。
【００４４】
さらに、図４（ｃ）に表すように、励起光Ｌ１が遮断されたのち、第１の光ファイバ群１２と、第２の光ファイバ群２２と、が離間する。このため、レーザー光が空間に放出されることが抑制され、安全性を保つことができる。
【００４５】
図６（ａ）は第３の実施形態にかかる光コネクタ対の嵌合前の光コネクタ対の模式斜視図、図６（ｂ）は嵌合後の光コネクタ対の模式斜視図、図６（ｃ）はロック前のレセプタクル型光コネクタの模式斜視図、図６（ｄ）はロックの作用を説明する模式斜視図、である。
コネクタ対は、プラグ型光コネクタ６３と、レセプタクル型光コネクタ７７と、を有する。
【００４６】
プラグ型光コネクタ６３は、光ファイバ１２の一方の端部が介挿され、外縁に凸部および凹部のうちのいすれか一方が設けられ、第１の接点６３を有する。また、レセプタクル型光コネクタ７７は、プラグ型光コネクタ６３が挿入される貫通孔が設けられ、貫通孔の内壁には凸部および凹部のうちのいずれか他方が設けられ、第２の接点７７ｂを有する。
【００４７】
図６において、レセプタクル型光コネクタ７７が凸部７７ａを有し、プラグ型光コネクタ６３が凹部６３ａを有するものとする。凹部６３ａには、プラグ型コネクタ６３の介挿方向に平行な挿入溝部と、挿入溝部に直交するように連続するロック用溝部、が設けられる。
【００４８】
凸部６３ａが凹部６３ａに沿うように挿入され、かつ第１の方向に回転されロック用溝部にロックされると、これに連動して第２の接点７７ｂが第１の接点６３ｂを押し付ける。このため、第１の接点６３ｂと、第２の接点７７ｂと、が導通する。
【００４９】
図７（ａ）はロック解除動作時のＡ−Ａ線に沿った模式断面図、図７（ｂ）はロック時のＡ−Ａ線に沿った模式断面図、である。
図７（ｂ）に表すように、ロック時は第１の接点６３ｂと、第２の接点７７ｂと、が、導通する。他方、凸部７７ａが、第１の方向とは反対の方向に回転されると、ロックが解除され第１の接点６３ｂと、第２の接点７７ｂと、が非導通となる。なお、第３の実施形態のロック機構は、第１の実施形態でも用いることができる。このような光コネクタ対を用いると、固体照明装置において、光コネクタのロックを解除する動作により、励起光を遮断し、安全性を高めることができる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１０  光源部、１２  第１の光ファイバ、２２、第２の光ファイバ、３０  光変換部、３１  透明基板、３２  波長変換層、５０  制御部、５１  検出部、６０  導光部、６２  第１の光コネクタ、６３  プラグ型光コネクタ、６４  第１のフェルール、６６  第１の絶縁層、６７  第１の端子、６８  第２の端子、７６  中継アダプタ、７７  レセプタクル型光コネクタ、７８  第３の絶縁体、８１  第４の端子、８２  第５の端子、８３  第６の端子、８４  第７の端子、８５  第１の電気ケーブル、８６  第２の電気ケーブル、９５  第３の端子、Ｌ１  励起光、ＲＬ  戻り光、Ｌ２  散乱光、Ｌ３  波長変換光、Ｓ１  ロック解除信号、Ｓ２  励起光遮断信号、ＧＴ  照明光  
【図１】
2015043048.tif 000003
【図２】
2015043048.tif 000004
【図３】
2015043048.tif 000005
【図４】
2015043048.tif 000006
【図５】
2015043048.tif 000007
【図６】
2015043048.tif 000008
【図７】
2015043048.tif 000009